(57)【要約】【課題】  収容容器において、複雑なロック機構を設けなくても、収容体を収容状態にロックすることができるようにする。【解決手段】  本発明の収容容器１は、前面に取出口４が形成されたケース本体２と、ケース本体２内に収納され且つ取出口４を介して前後方向に出退可能とされた収容体３と、を備え、ケース本体２の内部におけるケース本体２と収容体３との間には、ケース本体２に対して収容体３を付勢する付勢手段が設けられ、付勢手段は、収容体３の後端がケース本体２の前後方向の中途位置にあるときに、その付勢方向が切り替わるようになっており、収容体３の後端が中途位置より前方にあるときには収容体３を前方に付勢し、収容体３の後端が中途位置より後方にあるときには収容体３を後方に付勢するように構成されている。【選択図】図２
2010030633.tif 000002
【特許請求の範囲】
【請求項１】
取出口が形成されたケース本体と、該ケース本体内に収納され且つ前記取出口を介して出退可能とされた収容体と、を備えた収容容器であって、
前記ケース本体と収容体との間には、前記ケース本体に対して収容体を付勢すると共にケース本体に対する収容体の出退方向の中途位置で付勢方向が切り替わる付勢手段が設けられていることを特徴とする収容容器。
【請求項２】
前記ケース本体は前面に前記取出口を備えており、前記収容体は前記取出口を介して前後方向に出退可能とされており、
前記付勢手段は、前記収容体のケース本体からの引き出しを補助できるように、前記収容体が前記中途位置より前側にあるときには収容体を前側に付勢するように構成されていることを特徴とする請求項１に記載の収容容器。
【請求項３】
前記ケース本体は前面に前記取出口を備えており、前記収容体は前記取出口を介して前後方向に出退可能とされており、
前記付勢手段は、前記収容体のケース本体への引き込みを補助できるように、前記収容体の後端が中途位置より後側にあるときには収容体を後側に付勢するように構成されていることを特徴とする請求項１又は２に記載の収容容器。
【請求項４】
前記付勢手段は、一端が前記ケース本体の内側に、他端が前記収容体の外側に固定されると共に折り曲げ自在とされた板バネで構成されていることを特徴とする請求項１〜３のいずれかに記載の収容容器。
【請求項５】
前記板バネは、一端が前記ケース本体における左右いずれかの内側面に固定され、他端が前記収容体の後端板に取り付けられていることを特徴とする請求項４に記載の収容容器。
【請求項６】
前記板バネは、一端が前記ケース本体の後端板における左右いずれかの側に固定され、他端が前記収容体の後端板における中央側に取り付けられていることを特徴とする請求項４に記載の収容容器。
【請求項７】
前記ケース本体と収容体とは枢支部で相対回動自在に連結されており、
前記収容体は、該収容体をケース本体に対して相対回動させることで前記取出口を介してケース本体から出退可能とされており、
前記付勢手段は、前記収容体が前記回動方向の中途位置より引き出し側にあるときには収容体を引き出し側に回動させる方向に付勢すると共に、前記収容体が前記回動方向の中途位置より引き込み側にあるときには収容体を引き込み側に回動させる方向に付勢するように構成されていることを特徴とする請求項１に記載の収容容器。
【請求項８】
前記ケース本体には、前記収容体側に押し込まれて該収容体を引き出し側に押し出す押込片が設けられていることを特徴とする請求項１〜７のいずれかに記載の収容容器。
【請求項９】
前記ケース本体と収容体と付勢手段とが一体成形されていることを特徴とする請求項１〜８のいずれかに記載の収容容器。
【発明の詳細な説明】
【技術分野】
【０００１】
本発明は、収容容器に関するものである。
【背景技術】
【０００２】
化粧品を収容するコンパクト容器には、ケース本体内からバネなどの付勢手段を用いて収容体を自動的に引き出せるようにして利便性を高めたものがある。
例えば、特許文献１には、収容体をケース本体に対して前方に付勢するバネを設けたものであって、このバネを用いてケース本体から収容体を自動的に引き出せるスライドケースが開示されている。このスライドケースの収容体にはケース本体側に向かって突出したピンが設けられ、ケース本体にはこのピンと係合する溝部が形成されている。この溝部は、前後方向に向かって伸びるようにケース本体に形成されており、収容体をケース本体に対して前後方向に案内できるようになっている。そして、このスライドケースでは、収容体をケース本体に最も奥まで押し込むとピンが溝部のフック状に形成された部分に係合し、収容体を収容状態でロックできるようになっている。
【０００３】
また、特許文献２〜特許文献４には、特許文献１と同様に収容体をケース本体に対して前方に付勢するバネを設けたものであって、ストッパ片やラチェット機構を用いて収容体を収容状態にロックしているものも開示されている。
【特許文献１】特開２００４−２１７２４４号公報
【特許文献２】実開平０１−１７５７１３号公報
【特許文献３】実開平０１−１３１４２０号公報
【特許文献４】実開平０２−１１２２１０号公報
【発明の開示】
【発明が解決しようとする課題】
【０００４】
ところで、特許文献１〜特許文献４のようにバネなどの付勢手段を用いて収容体をケース本体に対して引き出し方向に付勢すると、収容体がケース本体に押し込まれた状態（収容状態）で付勢手段による外側に押し出す方向の付勢力も大きくなり、収容体を収容状態にロックする機構が必要となる。
このようなロック機構は、いずれも複雑な構造となっており、加工や組立に非常に手間がかかり、コストアップに繋がりやすいという問題があった。
本発明は、上述の問題に鑑みてなされたものであり、複雑なロック機構を設けなくても、収容体を収容状態にロックすることができる収容容器を提供することを目的とする。
【課題を解決するための手段】
【０００５】
前記目的を達成するため、本発明は次の技術的手段を講じている。
即ち、本発明の収容容器は、取出口が形成されたケース本体と、該ケース本体内に収納され且つ前記取出口を介して出退可能とされた収容体と、を備えた収容容器であって、
前記ケース本体と収容体との間には、前記ケース本体に対して収容体を付勢すると共にケース本体に対する収容体の出退方向の中途位置で付勢方向が切り替わる付勢手段が設けられていることを特徴とするものである。
このようにすれば、付勢手段が一方向に付勢されているときに収容体の引き出しを補助でき、他方向に付勢されているときに収容体を収容状態にロックすることができる。それゆえ、複雑なロック機構を設けなくても、収容体を収容状態にロックすることができる。
【０００６】
なお、前記ケース本体が前面に前記取出口を備えており、前記収容体が前記取出口を介して前後方向に出退可能とされた収容容器の場合には、前記付勢手段は、前記収容体のケース本体からの引き出しを補助できるように、前記収容体が前記中途位置より前側にあるときに収容体を前側に付勢するように構成することもできるし、また前記収容体のケース本体への引き込みを補助できるように、前記収容体の後端が中途位置より後側にあるときに収容体を後側に付勢するように構成することもできる。
また、前記付勢手段は、一端が前記ケース本体の内側に、他端が前記収容体の外側に固定されると共に折り曲げ自在とされた板バネで構成されているのが好ましい。
【０００７】
具体的には、前記板バネには、一端が前記ケース本体の後端板における左右いずれかの側に固定され他端が前記収容体の後端板における中央側に取り付けられているものや、一端が前記ケース本体の後端板における左右いずれかの側に固定され、他端が前記収容体の後端板における中央側に取り付けられているものを用いることができる。
また、収容容器としては、前記ケース本体と収容体とは枢支部で相対回動自在に連結されており、前記収容体が該収容体をケース本体に対して相対回動させることで前記取出口を介してケース本体から出退可能とされているものを用いることもできる。
【０００８】
この場合には、前記付勢手段は、前記収容体が前記回動方向の中途位置より引き出し側にあるときには収容体を引き出し側に回動させる方向に付勢すると共に、前記収容体が前記回動方向の中途位置より引き込み側にあるときには収容体を引き込み側に回動させる方向に付勢するように構成されているのが好ましい。
さらに、前記ケース本体には、前記収容体側に押し込まれて該収容体を引き出し側に押し出す押込片が設けられているのが良く、前記ケース本体と収容体と付勢手段とが一体成形されているのが良い。
【発明の効果】
【０００９】
本発明の収容容器によれば、複雑なロック機構を設けなくても、収容体を収容状態にロックすることができる。
【発明を実施するための最良の形態】
【００１０】
［第１実施形態］
以下、本発明に係る収容容器１の第１実施形態を、図面に基づき詳しく説明する。
図１に示すように、収容容器１は、ケース本体２と、ケース本体２内に収納された収容体３と、を備えている。ケース本体２には取出口４が設けられており、収容体３はこの取出口４を介して前後方向に出退可能とされている。
なお、以降の説明においては、図１における矢印Ｆの方向を収容容器１を説明する際の前方と定義し、また矢印Ｒの方向を後方と定義する。また、図２の紙面の上方を収容容器１を説明する際の右側Ｒと、下方を左側Ｌと定義する。これは使用者が収容容器１を取り出し側から見た際の方向と一致する。
【００１１】
ケース本体２は、収容体３を収容できるように内部が空洞とされた箱状に形成されており、その前面には取出口４がケース本体２の横幅（左右方向の幅）よりやや狭幅に形成されている。
ケース本体２の底板２２の後端側には、ケース本体２から収容体３を前方に押し出す押込片５が形成されている。押込片５は、ケース本体２の底板２２に前後方向に沿って平行に２本の切り込みを形成すると共にこれらの切り込みの後端同士を結ぶように切り込んで（上方から見ると略コの字状に）形成されている。押込片５は、底板２２から切り離された後端側が先端側に対して上下に弾性変形可能とされており、後端側を押し上げることでケース本体２中に収容された収容体３を前方に押し出せるようになっている。
【００１２】
収容体３は、板状に形成されており、上面には複数の凹部６が形成されている。収容体３の凹部６には、化粧品などの収容物を収容した中皿７が着脱自在に嵌め込まれている。
収容体３は前側が前後方向と垂直な方向に（上下左右に）張り出したフランジ部８を備えており、このフランジ部８はケース本体２の左右及び上下の幅と等しくなるように形成されており、取出口４より大きく形成されている。それゆえ、収容体３を取出口４から後方に向けてケース本体２内に押し込むと、収容体３のフランジ部８がケース本体２の前面に当接し、収容体３がケース本体２に対して収容状態に位置決めされる。
【００１３】
収容体３は、後端面の上部が後方に向かって庇状に張り出すように形成されている。この庇状に張り出した部分には、左方向と右方向とに突出した位置決め突起１０が形成されている。この位置決め突起１０は、ケース本体２に対して収容体３を前方に引き出した際にケース本体２の前板の裏側に当接し、ケース本体２に対して収容体３が引き出した状態に位置決めされる。
図２に示すように、収容体３の庇状に張り出した部分には、後述する付勢手段を係止する係止部１１が左右に一組ずつ形成されている。この係止部１１は、収容体３の後端面から距離をあけて設けられると共に張り出した部分から下方に向かって突出した係止突起１２と、係止突起１２と対向するように収容体３の後端面に設けられた係止リブ１３とで構成されている。
【００１４】
本発明の収容容器１には、ケース本体２の内部におけるケース本体２と収容体３との間にケース本体２に対して収容体３を付勢する付勢手段が設けられている。そして、この付勢手段は、収容体３の後端がケース本体２の前後方向の中途位置に対して前方にあるか後方にあるかで、その付勢方向が切り替わるようになっている。すなわち、付勢手段は、収容体３の後端が中途位置より前方にあるときには収容体３を前方に付勢し、収容体３の後端が中途位置より後方にあるときには収容体３を後方に付勢するように構成されている。
第１実施形態の付勢手段は帯板状に形成された板バネ１４を用いたものであり、この板バネ１４はその板縁を上下に向けるようにして左右に一組設けられている。板バネ１４は、バネの長手方向の一端がケース本体２における左側板２７又は右側板２８のいずれかの内側面に固定され、他端が収容体３の後端面に取り付けられている。
【００１５】
板バネ１４は、一端側や他端側に比べて中途側が上下方向に狭幅に形成されており、この狭幅な中途側を境に折り曲がるようになっている。それゆえ、板バネ１４の一端側と他端側とが一定の角度に折れ曲がると、直線状態に戻る方向に付勢力が発揮される。
板バネ１４の一端側と他端側とにはそれぞれ薄肉に形成されたヒンジ１５が設けられており、板バネ１４はこれらのヒンジ１５を介して収容体３とケース本体２とに一体に且つ折り曲げ自在に連結されている。
左右の板バネ１４の間には、左右の板バネ１４の他端同士を連結する連結部１６が、他端側のヒンジ１５を介して設けられている。連結部１６は、板バネ１４同様に帯板状に形成されており、係止突起１２と係止リブ１３との間を縫うようにして収容体３の後端側に固定されている。
【００１６】
次に、第１実施形態の収容容器１において、収容体３をケース本体２に対して出し入れした際の付勢手段の動作を説明する。
図２（ａ）は、収容体３がケース本体２内に引き込まれた状態（収容状態）での収容容器１を示している。このとき、収容体３はケース本体２との間に上面視で略Ｌの字状の隙間をあけてケース本体２内の後方に位置している。そして、板バネ１４はこの隙間に一端側と他端側とが略直角に折れ曲がった状態で収容されており、板バネ１４は一端側がケース本体２の左右側板２７、２８と平行になると共に他端側が収容体３の後端面と平行になっている。それゆえ、板バネ１４の一端と他端との間には両者を離間させる方向に付勢力が働いている。この付勢力は、収容体３に連結された他端がケース本体２に連結された一端より後方にあるため、ケース本体２に対して収容体３を後方に引き離す向きに作用する。それゆえ、収容体３がケース本体２に対して後方に付勢されて収容体３が押し込まれた状態（収容状態）に復元される。
【００１７】
次に、収容体３をケース本体２に対して前方に引き出すと、収容体３がケース本体２に対して前方に位置するようになり、それに合わせて板バネ１４の一端と他端との距離が小さくなる。そうすると、板バネ１４の一端側と他端側とが略直角に交差する状態からさらに鋭角に交差する状態に変化して、一端側と他端側との間に両者を離間させる方向の付勢力が強くなる。
さらに、ケース本体２から収容体３を前方に引き出すと、やがて収容体３が図２（ｂ）に示すように出退方向の中途位置にくる。
【００１８】
図２（ｂ）の中途位置では、板バネ１４の一端側と他端側との距離が最小となっており、板バネ１４の付勢力は最大となっている。しかし、板バネ１４の一端と他端とが前後方向に同じ位置にある（左右に並んでいる）ので、付勢力は前後方向とは垂直に作用し、ケース本体２にも収容体３にも前後方向に力が作用しない。
そして、ケース本体２から収容体３を中途位置より前方に引き出す。このようにすると、板バネ１４の他端が一端より前方に位置するようになり、板バネ１４の付勢力が収容体３をケース本体２に対してさらに前方に引き離すように作用する。その結果、ケース本体２に対して収容体３が前方に付勢され、付勢力がケース本体２から収容体３を前方に引き出す方向に作用して収容体３のケース本体２からの引き出し動作が補助される。
【００１９】
図２（ｃ）に示すように、ケース本体２から収容体３が完全に引き出されると、板バネ１４は一端側がケース本体２の左右の内側面と垂直になると共に他端側が収容体３の後端面と垂直になる。それゆえ、収容体３がケース本体２に対して前方に付勢されて収容体３が押し込まれた状態（使用状態）に復元される。
本発明の板バネ１４（付勢手段）では、収容体３の後端が中途位置（板バネ１４の他端が一端と前後方向で同じ位置）にあるときに、板バネ１４の付勢力が前方から後方に切り替わるようになっている。それゆえ、ケース本体２に対して収容体３が奥にあるときには付勢力が後方に働いて、複雑なロック機構を設けなくても、収容体３を収容状態にロックすることができる。また、ケース本体２に対して収容体３をある程度前方に引き出せば、付勢力が前方に働いて収容体３を容易に引き出すことが可能となる。当然、ケース本体２に対して収容体３をある程度後方に押し込めば、付勢力が後方に働いて収容体３を容易に引き込んで収容状態とすることが可能となる。
【００２０】
第１実施形態では、板バネ１４はヒンジ１５を介してケース本体２及び収容体３に連結されており、ケース本体２と収容体３と付勢手段とを一体成型法を用いて一度形成することができる。それゆえ、金属製のバネを用いたものより収容容器１の構造がシンプルとなり、部品点数も少なくなり、成形コストや組立コストを低減することができる。
［第２実施形態］
図３は、第２実施形態の収容容器１を示している。第２実施形態の収容容器１では第１実施形態と同様に板バネ１４を用いているが、第２実施形態の板バネ１４は一端がケース本体２の後端板１７における左右いずれかの側に固定され、他端が収容体３の後端面の中央側に取り付けられており、この点で第１実施形態と異なっている。また、第２実施形態のケース本体２は、第１実施形態のように最初から箱状に形成されているのではなく、２つに分割された上部材１８と下部材１９とを箱状に組み上げる点で第１実施形態と異なっている。
【００２１】
以下に、第２実施形態の収容容器１をさらに詳しく説明する。
図３に示すように、ケース本体２は、後端板１７と、この後端板１７の上端に連結される上部材１８と下端に連結される下部材１９との３つの部材で成っている。ケース本体２は、上部材１８と下部材１９とが互いに対面するようにこれらの部材を後端板１７に対して折り返して箱状に組み立てられる。
すなわち、図３の展開状態においては、上部材１８は天板２０とこの天板２０の左右側から下方に向かって起立状に形成された側板２１とを備えており、下部材１９は底板２２とこの底板２２の左右側から上方に向かって起立状に形成された側板２３とを備えている。そして、上部材１８と下部材１９とを後端板１７に対して折り返すと、上部材１８の天板２０と下部材１９の底板２２とが互いに平行になると共に上部材１８の側板２１と下部材１９の側板２３とが重なり合って箱状のケース本体２が組み立てられる。そして、箱状に組み立てられたケース本体２には前方に開口した取出口４が形成され、取出口４から収容体３が出入り可能になる。
【００２２】
収容体３は、後端面の上部が後方に向かって庇状に張り出すように形成されており、この張り出した部分の下面に係止突起１２が形成されている。この係止突起１２は、左右方向の中途側に形成されており、下方に向けて突出状に形成されている。
第２実施形態の板バネ１４は、中途側で折れ曲がりやすいように中途側に薄肉のヒンジ部２４が形成されており、このヒンジ部２４を境に一端側と他端側とが折り曲げ自在となっている。板バネ１４は、左右で一組設けられており、左側の板バネ１４の一端はケース本体２の後端板１７の左側にケース本体２と一体に連結されており、また右側の板バネ１４の一端はケース本体２の後端板１７の右側にケース本体２と一体に連結されている。そして、左右の板バネ１４はそれぞれ後端板１７の左右のどちらかの側から左右方向の中途側に向かって斜め前方を向くように設けられている。一方、左右の板バネ１４の他端はいずれも留め具２５に連結されている。留め具２５は、収容体３の係止突起１２を内挿可能な筒状に形成されており、板バネ１４の他端を収容体３の後端における左右方向の中央側に固定している。
【００２３】
次に、第２実施形態の収容容器１において、収容体３をケース本体２に対して出し入れした際の付勢手段の動作を説明する。
図４（ａ）は、収容体３がケース本体２内に引き込まれた状態（収容状態）での収容容器１を示している。このとき、収容体３はケース本体２の奥側（後方）に位置している。そして、板バネ１４は、一端がケース本体２の後端板１７における左右いずれかの側に固定され、他端が収容体３の後端面における中央側に取り付けられており、板バネ１４は上面視で略Ｍ字状に折り畳まれた状態でケース本体２と収容体３との間の空間に収容されている。
【００２４】
ここで、板バネ１４の付勢状態について考える。板バネ１４は、外力が作用していない状態（中立状態）では一端側をケース本体２の後端板１７から斜め前方を向いている。それゆえ、板バネ１４は変形状態ではなく付勢力は発生していない。
次に、収容体３をケース本体２に対して前方に引き出す。このようにすると、収容体３がケース本体２に対して前進し、それに合わせて板バネ１４の一端側が後端板１７に対して前方に向くように曲がる。そうすると、板バネ１４の一端側を中立姿勢（斜め前方を向く状態）に戻そうとする方向に付勢力が発生し、収容体３がケース本体２に対して後方に付勢される。その結果、収容体３の収容状態が保持される。
【００２５】
さらに、ケース本体２から収容体３を前方に引き出すと、やがて付勢手段が図４（ｂ）に示すような出退方向の中途位置にくる。
図４（ｂ）の中途位置では、板バネ１４の一端側が内側面に対して垂直方向に向いており、板バネ１４には大きな付勢力が発生している。しかし、板バネ１４に発生する付勢力が前後方向とは垂直に作用し、収容体３には前後方向に力が全く作用しない。
そして、ケース本体２から収容体３を中途位置より前方に引き出す。このようにすると、それに合わせて板バネ１４の一端側が再び中立姿勢に復帰するように変化し、板バネ１４に作用する付勢力も徐々に小さくなる。このときの付勢力は、収容体３の後端がヒンジ部２４（板バネ１４の中途側）より前方にあるので、収容体３をケース本体２に対して前方に付勢する方向に作用する。その結果、収容体３が前方に付勢され、収容体３の引き出しが補助される。
【００２６】
第２実施形態の板バネ１４でも、収容体３の後端が中途位置より前方にあるか後方にあるかで、板バネ１４の付勢力が前方から後方に切り替わるようになっている。それゆえ、収容状態にある収容体３が少しでも前方に移動すると付勢力が後方に働いて、複雑なロック機構を設けなくても、収容体３を収容状態にロックすることができる。また、収容体３をさらに前方に移動させると付勢力が前方に変化して、収容体３を容易に引き出すことが可能となる。
一方、一番前まで引き出した状態の収容体３を少しでも後方に移動させると、付勢力が前方に働いて収容体３を引き出し状態に保持することが可能となる。また、収容体３をさらに後方に移動させると付勢力が前方から後方に変化して、収容体３を容易に押し込むことが可能となる。
【００２７】
また、第２実施形態でも、板バネ１４はヒンジ１５を介してケース本体２及び収容体３に連結されており、ケース本体２と収容体３と付勢手段とを同じ樹脂で一体成型法で一度形成することができる。それゆえ、金属製のバネを用いたものより収容容器１の構造がシンプルとなり、部品点数も少なくなり、成形コストや組立コストを低減することができる。
［第３実施形態］
図５は、第３実施形態の収容容器１を示している。第３実施形態の収容容器１は、ケース本体２と収容体３とが枢支部２６で相対回動自在に連結されており、収容体３をケース本体２に対して相対回動させることで収容体３が取出口４を介してケース本体２から出退するようになっている。そして、第３実施形態の付勢手段は、収容体３が回動方向の中途位置より引き出し側にあるときには収容体３を引き出し側に回動させる方向に付勢すると共に、収容体３が回動方向の中途位置より引き込み側にあるときには収容体３を引き込み側に回動させる方向に付勢するように構成されている。
【００２８】
なお、第３実施形態の収容容器１の説明においては、図５における矢印Ｆの方向を収容容器１を説明する際の前方と定義し、また矢印Ｒの方向を後方と定義する。また、図５の矢印Ｒの方向を収容容器１を説明する際の右側と、矢印Ｌの方向を左側と定義する。
以下に、第３実施形態の収容容器１をさらに詳しく説明する。
図５に示すように、ケース本体２は、上下に互いに平行に設けられた天板２０及び底板２２を備えており、天板２０と底板２２とは後端と左側端部同士が上下方向に沿って設けられた後端板１７及び左側板３２を用いて連結されており、天板２０と底板２２との間に収容体３を収容可能となっている。ケース本体２の左側板３２には前方を向く取付面３３が形成されており、この取付面３３には後述する付勢手段の一端が連結されている。
【００２９】
ケース本体２の底板２２は前方に向かって天板２０より突出しており、この底板２２の突出した部分の左側には上方（収容体３側）に向かって突設された枢支ピン３０が形成されている。ケース本体２は、天板２０と底板２２との間が前方及び右方に向かって開口しており、この開口した部分が収容体２がケース本体２から出退する取出口４となっている。
収容体３は、板状に形成されており、上面には複数の凹部６が形成されている。収容体３の凹部６には、化粧品などの収容物を収容した中皿７が着脱自在に嵌め込まれている。収容体３は、後端側における枢支ピン３０に対応した位置に枢支ピン３０に外嵌する枢着部３１を備えている。この枢着部３１は、断面視が略Ｃ字の筒状に形成されており、枢支ピン３０に対して径外側から外嵌すると共に外嵌状態で相対回動できるようになっている。収容体３における枢着部３１の左側の後端面は枢着部３１より前方に凹んだ位置に形成されており、この後端面には後述する付勢手段の他端側を連結する係止面３４が設けられている。
【００３０】
枢支部２６は、上述した収容体３の枢着部３１とのケース本体２の枢支ピン３０とで構成されている。枢支部２６はケース本体２の左前のコーナー側でケース本体２と収容体３とを連結しており、ケース本体２と収容体３とはこの枢支部２６回りに相対回動自在となっている。
第３実施形態の付勢手段には板バネ１４が用いられており、この板バネ１４は一端がケース本体２の取付面３３に連結されており、他端が収容体３の係止面３４に連結されている。板バネ１４は、一端と他端とが中間を境に鋭角に折れ曲がった状態が中立状態となるように形成されており、一端と他端とを互いが略直線状に並ぶように伸ばすことで一端と他端とが近接する方向に付勢力を発揮できるようになっている。それゆえ、ケース本体２と収容体３とが相対回動すると、枢支部２６を取り巻くように折れ曲がって板バネ１４の一端と他端との距離が変化し、板バネ１４は一端と他端とを近づける方向に付勢力を発揮できるようになっている。
【００３１】
次に、第３実施形態の収容容器１において、収容体３をケース本体２に対して出退（回動）させた際の付勢手段の動作を説明する。
図６（ａ）に示すように、ケース本体２から収容体３が引き出された状態においては、ケース本体２の取付面３３と収容体３の係止面３４とが互いに平行に配置されている。そして、板バネ１４はなだらかに曲がった状態となっており、一端と他端とを近づける方向の付勢力が最も大きくなっている。また、板バネ１４の他端は固定された一端と回転軸心Ｏとを結んだ直線より引き出し側に位置している。
【００３２】
図７（ａ）に示すように、このときの板バネ１４の付勢力は、互いに同じ大きさで互いに反対の方向を向いて、一端と他端とを結んだ直線に沿って加わっている。そして、この付勢力は、ケース本体２側ではケース本体２を収容体３側に引き寄せる方向に力ｆ1で、また収容体３側では収容体３をケース本体２側に引き寄せる方向に力ｆ2（＝ｆ1）で働いている。それゆえ、枢支部２６の回転軸心Ｏ回りのベクトル（接線方向ベクトル）は、ｆ1’及びｆ2’となり、回転軸心Ｏ回りにケース本体２に対して収容体３を時計方向に回動させる方向に作用する。その結果、ケース本体２から収容体３を引き出す側に板バネ１４の付勢力が作用して、収容体３がケース本体２から引き出された状態（使用状態）に保持される。
【００３３】
一方、図６（ｂ）に示すように、収容体３が回動方向の中途位置にくると、板バネ１４の他端が固定された一端と回転軸心Ｏとを結んだ直線上に位置し、一端と他端と回転軸心Ｏとが同一直線上に並ぶことになる。そうすると、力ｆ1と力ｆ2とが回転軸心Ｏを挟んで互いに対向して働き、回転軸心Ｏ回りのベクトル（接線方向ベクトル）は発生しない。それゆえ、ケース本体２に対して収容体３を引き出し側に回動させる方向にも引き込み側に回動させる方向にも板バネ１４の付勢力が作用しなくなる。
さらに、図６（ｃ）に示すように、ケース本体２に収容体３が引き込まれた状態においては、ケース本体２の取付面３３と収容体３の係止面３４とが互いに直交するように配置されている。そして、板バネ１４は急角度に曲がった状態となっており、一端と他端とを近づける方向の付勢力が最も小さくなっている。
【００３４】
図７（ｂ）に示すように、このときの板バネ１４の付勢力も、引き出された状態と同様に互いに同じ大きさで互いに反対の方向を向いて、一端と他端とを結んだ直線に沿って加わっている。
しかし、引き込まれた状態では、板バネ１４の他端は、固定端である一端と枢支部２６の回転軸心Ｏとを結んだ直線に対して引き込み側に位置している。それゆえ、枢支部２６の回転軸心Ｏ回りのベクトル（接線方向ベクトル）は、ｆ3’及びｆ4’となり、回転軸心Ｏ回りにケース本体２に対して収容体３を反時計方向に回動させる方向に作用する。その結果、ケース本体２から収容体３を引き込む側に板バネ１４の付勢力が作用して、収容体３がケース本体２から引き込み状態（収容状態）に保持される。
【００３５】
本発明は上記各実施形態に限定されるものではなく、発明の本質を変更しない範囲で各部材の形状、構造、材質、組み合わせなどを適宜変更可能である。
上記実施形態では、付勢手段に板バネ１４を用いたものを例示した。しかし、付勢手段には例えばつるまきバネなどを用いることもできる。
また、上記実施形態では、ケース本体２と収容体３との間に板バネ１４が左右に１つずつ設けられたものを例示した。しかし、板バネ１４の個数は２個に限定されるものではなく、例えば１個でも良いし、３個以上でも良い。
【００３６】
さらに、上記実施形態では、板バネ１４の一端がケース本体２の内側面や後端板１７に連結され、他端が収容体３の後端面に連結されたものを例示した。しかし、板バネ１４の他端は、ケース本体２の内部であれば、例えばケース本体２の底板２２や天板２０に連結することもできる。
【図面の簡単な説明】
【００３７】
【図１】第１実施形態の収容容器の一部断面斜視図である。
【図２】同収容容器の開閉に伴う付勢手段の変化を示す説明図である。
【図３】第２実施形態の収容容器の一部断面斜視図である。
【図４】同収容容器の開閉に伴う付勢手段の変化を示す説明図である。
【図５】第３実施形態の収容容器の斜視図である。
【図６】同収容容器の開閉に伴う付勢手段の変化を示す説明図である。
【図７】付勢手段における付勢力の作用状態の変化を示す図である。
【符号の説明】
【００３８】
１  収容容器
２  ケース本体
３  収容体
４  取出口
５  押込片
６  凹部
７  中皿
８  フランジ部
１０  位置決め突起
１１  係止部
１２  係止突起
１３  係止リブ
１４  付勢手段（板バネ）
１５  ヒンジ
１６  連結部
１７  後端板
１８  上部材
１９  下部材
２０  天板
２１  上部材の側板
２２  底板
２３  下部材の側板
２４  ヒンジ部
２５  留め具
２６  枢支部
３０  枢支ピン
３１  枢着部
３２  左側板
３３  取付面
３４  係止面
【図１】
2010030633.tif 000003
【図２】
2010030633.tif 000004
【図３】
2010030633.tif 000005
【図４】
2010030633.tif 000006
【図５】
2010030633.tif 000007
【図６】
2010030633.tif 000008
【図７】
2010030633.tif 000009